(57)【特許請求の範囲】
【請求項１】
電磁波を利用して個品データ等の個別情報の送受信を行う非接触式データキャリアを備えた包装箱であって、
稜線で折り曲げて組み立てることで複数の面を構成できる基材と、
個品データを記憶したＩＣチップと該ＩＣチップに連結された小形アンテナとを備えて前記基材の所定の面に貼着されるＩＣモジュールと、
該ＩＣモジュールが貼着された基材の所定の面に隣接する包装箱の角部である稜線に設けられるブースターアンテナと、を備える
非接触式データキャリアを備えた包装箱。
【請求項２】
前記基材を柔軟性基材とした
請求項１記載の非接触式データキャリアを備えた包装箱。
【請求項３】
前記ブースターアンテナを稜線の外表面側に設けた
請求項１記載の非接触式データキャリアを備えた包装箱。
【請求項４】
前記ブースターアンテナを複数の稜線に設けた
請求項１記載の非接触データキャリアを備えた包装箱。
【請求項５】
前記ブースターアンテナを複数の稜線のうち長いものに設けた
請求項１記載の非接触データキャリアを備えた包装箱。
【請求項６】
前記ＩＣモジュールを基材の内表面側に設けた
請求項１〜５いずれか記載の非接触データキャリアを備えた包装箱。
【発明の詳細な説明】
【技術分野】
【０００１】
この発明は、ＲＦＩＤ（Ｒａｄｉｏ  Ｆｒｅｑｕｅｎｃｙ  Ｉｄｅｎｔｉｆｉｃａｔｉｏｎ：電磁波を利用して人や物を認識する非接触型の自動認識技術）によって情報通信を行う非接触式データキャリアを備えた包装箱、例えば、タバコ、薬品、化粧品、酒、貴金属、ハンドバック等の個品を包装する、非接触式データキャリアを備えた包装箱に関する。
【背景技術】
【０００２】
従来から、「ＲＦＩＤ」と呼ばれる非接触の自動認識技術によって、個人識別や物品識別が行われている。このＲＦＩＤ技術によって、物流管理、生産履歴管理、真偽判定等を行うことが知られている。
【０００３】
ところで、ＲＦＩＤを使って物流管理等を行う場合には、識別対象である各個品の包装箱毎に、ＩＣタグ等の非接触式データキャリアを付与することが考えられる。このとき、この付与コストの削減を考慮すると、各包装箱に、直接、非接触式データキャリアを実装する、いわゆる「ソースタギング」技術を採用することが考えられる。
【０００４】
しかし、単純に「ソースタギング」技術を採用しても、ＩＣチップが包装箱に直接実装されることから、ＩＣチップとアンテナとの接続不良の問題等が発生する可能性がある。
そこで、ＩＣチップと小形アンテナを一体的に構成したＩＣモジュールを予め用意して、このＩＣモジュールを大形アンテナ（ブースターアンテナ）を形成した包装箱に、貼着することで、接続不良の問題等を解消することが考えられる。すなわち、ＩＣモジュールの小形アンテナと包装箱の大形アンテナは、いわゆる「電磁誘導」によって電気的に結合されるため、ＩＣチップを直接大形アンテナに接続しなくてもよく、接続不良の問題が発生するおそれがなくなるのである。
【０００５】
こうした電磁誘導によって非接触式データキャリアを構成するものとして、下記特許文献１が知られている。この特許文献１によると、さらに、ブースターアンテナを設けたことによって無線通信の通信距離を拡大することができる旨、記載されている。また、ブースターアンテナを柔軟な紙基材に設けるものとしては、下記特許文献２が知られている。
【先行技術文献】
【特許文献】
【０００６】
【特許文献１】特開２０００−１３７７７９号公報
【特許文献２】特開２００２−１０９４９７号公報
【発明の概要】
【発明が解決しようとする課題】
【０００７】
ところで、包装箱にブースターアンテナを設ける場合には、例えば、包装箱の各「面」に設けるのが一般的である。例えば、前述の特許文献２に記載されたブースターアンテナも、複数の外周「面」に跨るように設けることで、複数の方向に通信できるように構成している。
【０００８】
しかし、このように、ブースターアンテナを包装箱の「面」に設けた場合には、内部の収納物を包むアルミホイル等の金属製包装材や金属製の収納物等が、包装箱の「面」に接触して、金属製包装材等とブースターアンテナが一体化して、アンテナ特性が変化し、通信距離が変化してしまうという問題が生じる。この問題は、ちょうど金属部品にＩＣタグを貼着した場合に生じる、読み取り不良の問題と同様である。
【０００９】
こうした読み取り不良の問題が生じると、前述のように通信距離を拡大させるためにブースターアンテナを設けたメリットが損なわれる。これにより、結果として、包装箱にブースターアンテナを設けても、内部の収納物によっては十分に通信距離を確保できないという問題が生じることになる。
【００１０】
そこで、本発明は、ブースターアンテナを有する非接触式データキャリアを備えた包装箱において、収納物がどのようなものであってもアンテナ特性が変化せず、通信距離を安定させることができ、読み取り不良が発生することがない、非接触式データキャリアを備えた包装箱を提供することを目的とする。
【課題を解決するための手段】
【００１１】
この発明の非接触式データキャリアを備えた包装箱は、電磁波を利用して個品データ等の個別情報の送受信を行う非接触式データキャリアを備えた包装箱であって、稜線で折り曲げて組み立てることで複数の面を構成できる基材と、個品データを記憶したＩＣチップと該ＩＣチップに連結された小形アンテナとを備えて前記基材の所定の面に貼着されるＩＣモジュールと、該ＩＣモジュールが貼着された柔軟性基材の所定の面に隣接する稜線に設けられるブースターアンテナと、を備えるものである。
上記構成によれば、基材によって構成される包装箱の所定の面には、ＩＣチップと小形アンテナとからなるＩＣモジュールが貼着されて、その所定の面に隣接した稜線にはブースターアンテナが設けられる。すなわち、通信距離を延ばすブースターアンテナが、包装箱の頂部（角部）である「稜線」に位置するのである。  
【００１２】
このため、ブースターアンテナが包装箱の「面」から最も離間した位置に位置することになり、収納物が金属製包装材等で包まれていたとしても、ブースターアンテナとの間には隙間が生じて、ブースターアンテナのアンテナ特性が、変化するのを防ぐことができる。
【００１３】
なお、小形アンテナやブースターアンテナのアンテナ素材は、導電性の銅やアルミ等の金属製の導電性ペーストが考えられるが、一般的な金属線などであってもよい。
【００１４】
この発明の一実施態様においては、基材を柔軟性基材としたものである。  
上記構成によれば、基材が柔軟性基材であるため、折り曲げによる稜線の成形を比較的容易に行うことができる。
【００１５】
よって、稜線の形成を、人力等によって行うこともできる。
なお、ここで柔軟性基材とは、例えば、紙材料や、ビニール材料、さらにはゴム材料、プラスチック材料、繊維材料、布材料など、人力でも容易に変形する基材のことをいう。  
【００１６】
この発明の一実施態様においては、前記ブースターアンテナを稜線の外表面側に設けたものである。  
【００１７】
上記構成によれば、ブースターアンテナが稜線の外表面側に位置するため、収納物が包装箱の中で稜線の位置に移動したとしても、ブースターアンテナとの間には、必ず柔軟性基材が存在する。これにより、ブースターアンテナと収納物が一体化するのを防ぐことができる。  
【００１８】
よって、収納物がどのようなものであっても、より確実に、ブースターアンテナのアンテナ特性を安定させることができ、読み取り不良の発生を防ぐことができる。
【００１９】
この発明の一実施態様においては、前記ブースターアンテナを複数の稜線に設けたものである。  
【００２０】
上記構成によれば、ブースターアンテナが複数の稜線に設けられることで、包装箱の箱形状を利用して、ブースターアンテナが複数の方向を向くように設定できる。  
【００２１】
よって、包装箱の形状を有効に利用して、ブースターアンテナの通信範囲（角度）を拡大することができる。
【００２２】
この発明の一実施態様においては、前記ブースターアンテナを複数の稜線のうち長いものに設けたものである。  
【００２３】
上記構成によれば、ブースターアンテナの長さを、包装箱の長い稜線を利用して、長くも短くも設定することができる。  
【００２４】
よって、包装箱を有効に利用して、ブースターアンテナの長さを自由に設定することができ、アンテナ特性のチューニング（調整）幅を広げることができる。
【００２５】
この発明の一実施態様においては、前記ＩＣモジュールを基材の内表面側に設けたものである。  
【００２６】
上記構成によれば、ＩＣモジュールを包装箱の内部に位置させることで、包装箱の外部に、ＩＣモジュールが露出しないことになる。  
【００２７】
よって、外部からの圧力等によって、ＩＣモジュールが包装箱から剥がれるのを防ぐことができ、データキャリアとしての機能を維持することができる。また、故意にＩＣモジュールが剥がされて、ＩＣモジュールが交換されることによる偽造を防ぐことができる。
【発明の効果】
【００２８】
この発明によれば、ブースターアンテナが包装箱の「面」から最も離間した位置に位置することになり、収納物が金属製包装材等で包まれていたとしても、ブースターアンテナとの間には隙間が生じて、ブースターアンテナのアンテナ特性が、変化するのを防ぐことができる。
【００２９】
よって、非接触式データキャリアを備えた包装箱において、収納物がどのようなものであってもアンテナ特性が変化せず、通信距離を安定させることができ、読み取り不良が発生することを防ぐことができる。
【図面の簡単な説明】
【００３０】
【図１】第一実施形態の非接触式データキャリアを備えた包装箱の上方斜視図。
【図２】非接触式データキャリアを備えた包装箱の展開斜視図。
【図３】包装箱の上部に設けた非接触式データキャリアの詳細斜視図。
【図４】図１のＡ−Ａ線矢視断面図。
【図５】第二実施形態のタバコの箱（包装箱）の上方斜視図。
【図６】（ａ）が第三実施形態のタバコの箱（包装箱）の上方斜視図、（ｂ）が第四実施形態のタバコの箱（包装箱）の上方斜視図。
【図７】第五実施形態の図４に対応するＡ−Ａ線矢視断面図。
【発明を実施するための形態】
【００３１】
以下、図面に基づいて本発明の実施形態を詳述する。  
【００３２】
まず、第一実施形態について説明する。図１は本発明の非接触式データキャリアを備えた包装箱の上方斜視図、図２は非接触式データキャリアを備えた包装箱の展開斜視図、図３は包装箱の上部に設けた非接触式データキャリアの詳細斜視図、図４は図１のＡ−Ａ線矢視断面図である。
【００３３】
図１に示すように、包装箱１は、上下方向に長い矩形形状の箱体で構成しており、内部には、アルミホイル（図示せず）で包まれた薬品等の収納物２を位置させている。この包装箱１は、紙材料ｐをベースにして構成しており、この紙材料ｐを所定の稜線ｄ１、ｄ２…で折り曲げて組み立てることにより、六面を有する立方体となるように構成している。
【００３４】
包装箱１は、図２の展開斜視図に示すように、長尺矩形形状の側面部３、３…を、幅方向に４つ連設して、その上下端に正方形形状の上面部４と下面部５とを連設し、さらに、その隣接位置に、上下接合代面部６、６…を設けると共に、側面部３の側端に、上下に延びる側部接合代面部７を設けることで構成している。また、それぞれの面部３、４、５、６、７の間には、箱体として組み上げた際に稜線となる、複数の折り曲げ線８、…を設けている。
【００３５】
そして、図１に示すように、この包装箱１の上部には、非接触式データキャリアであるＩＣモジュール９とブースターアンテナ１０とを設けている。このＩＣモジュール９とブースターアンテナ１０とは、後述するように、電磁誘導によって電気的に結合するように構成されている。
【００３６】
ＩＣモジュール９は、包装箱１を組み立てた状態で、箱内部（内側）に位置するように上面部４の下側に位置する上接合代面部６の内面側（裏面側）に貼着されている。  
一方、ブースターアンテナ１０は、導電性ペーストを印刷技術によって、紙材料ｐで構成される包装箱１に印字されることで構成している。包装箱１を組み立てた状態で、箱外面側（表面側）に位置するように、側面部８と側面部８の間の二つの稜線ｄ２、ｄ１と、側面部８と上接合代面部４の間の稜線ｄ６とで、「略門型」形状を形成するように外面側（表面側）に設けられている。
【００３７】
前述のＩＣモジュール９は、図３に示すように、個品データ等を記憶した薄型の直方体形状のＩＣチップ９１と、略楕円形状のＵＨＦ帯ニアフィールドタイプの小形アンテナ９２と、このＩＣチップ９１と小形アンテナ９２を備えるシート基材９３とで構成している。
【００３８】
シート基材９３は長方形状の透明のフィルムＰＥＴ材で形成しており、下面側には粘着剤（図示せず）を設けている。このため、ＩＣモジュール９を、いわゆる粘着シールのように、包装箱１に自由に貼着できる。
【００３９】
このＩＣモジュール９は、従来から一般に知られているフリップチップボンディング等の実装方法によって、ＩＣチップ９１を小形アンテナ９２が形成されたシート基材９３に実装することで、製造している。なお、この実装は、特許３７３９７５２号等で開示されたロータリーボンディング方式で行うのが望ましい。なぜなら、ＩＣチップ９１の実装スピードを格段に早めることができ、ＩＣモジュール９の歩留まりも高めることができるからである。
【００４０】
一方、小形アンテナ９２は、導電性ペーストを印刷技術によって、シート基材９３に印字することで形成している。小形アンテナ９２を導電性ペーストで略楕円形状に形成することで、ブースターアンテナ１０から起電力を受けた際には、いわゆる電磁コイルとして機能する。こうして小形アンテナ９２が電磁コイルとして機能することで、電磁誘導によって、小形アンテナ９２に電流が発生して、ＩＣチップ９１に電気が流れ、図示しないリーダ・ライタと通信するようになっている。
【００４１】
また、ブースターアンテナ１０と小形アンテナ９２は、直接接続されていなくても、電磁誘導で電気が流れるため、ブースターアンテナ１０と小形アンテナ９２との位置関係を、比較的自由に設定することができる。このため、ＩＣモジュール９自体の包装箱１への貼着（実装）作業は、精密な精度を必要とせず、ブースターアンテナ１０からの起電力（電磁力）が届く範囲Ｌ（例えば０〜１５ｍｍ）に、小形アンテナ９２を位置させればよい。
【００４２】
また、前述したように、ブースターアンテナ１０は、略門型形状に形成されて、包装箱の１組立時には、図１に示すように、左右方向、上下方向にそれぞれ延びるように設定されている。このため、リーダ・ライタ（図示せず）からの電波の受信角度（範囲）を、前後方向や左右方向にも広げることもできる。よって、通信範囲をさらに広げることができる。
【００４３】
さらに、このブースターアンテナ１０の長さも、稜線ｄ１、ｄ２、ｄ６の長さに応じて比較的自由に設定することができるため、アンテナ特性も自由に調整することができる。
【００４４】
そして、図４に示すように、このブースターアンテナ１０は、包装箱１の稜線ｄ６の外面側に位置する。このため、ブースターアンテナ１０が内部の収納物２から最も離間した位置に位置して、ブースターアンテナ１０が収納物のアルミホイル２Ａと接触するのを防ぐことができる。これにより、ブースターアンテナ１０が収納物のアルミホイル２Ａと一体化することなく、ブースターアンテナ１０のアンテナ特性を確実に維持することができる。
【００４５】
一方、この図４にも示すように、ＩＣモジュール９は包装箱１の内側に位置するように貼着されている。このため、ＩＣモジュール９は、外部からの影響を受け難く、包装箱１からの剥離やＩＣチップ９１の破損を防止することができる。加えて、外側から目視できないため、故意にＩＣモジュール９を取り換えることも、防ぐことができる。
【００４６】
なお、このようにＩＣモジュール９を包装箱１の内側に貼着すると、小形アンテナ９２と収納物２とが接触するおそれが生じるが、小形アンテナ９２は、ブースターアンテナ１０と電磁誘導すれば機能的に足りるため、ブースターアンテナ１０の場合のように、アンテナ特性が変化して問題が生じるということはない。
【００４７】
このように、第一実施形態の包装箱１は、稜線ｄ６で折り曲げて組み立てることで、複数の面を構成する紙材料ｐで構成されており、個品データを記憶したＩＣチップ９１と、このＩＣチップ９１に連結される小形アンテナ９２とを備えたＩＣモジュール９を上接合代面部６に貼着して、この上接合代面部６に隣接した稜線ｄ６に、ブースターアンテナ１０を設けている。
【００４８】
これにより、通信距離を延ばすブースターアンテナ１０が、包装箱１の頂部（角部）である「稜線ｄ６」に位置することになる。  
このため、ブースターアンテナ１０が包装箱１の「面」から最も離間した位置に位置することになり、収納物２がアルミホイル２Ａで包まれていても、ブースターアンテナ１０との間で隙間Ｓ（図４参照）が生じて、ブースターアンテナ１０のアンテナ特性が変化するのを防ぐことができる。  
【００４９】
よって、非接触式データキャリアを備えた包装箱１において、収納物２がどのようなものであっても、ブースターアンテナ１０のアンテナ特性が変化せず、通信距離を安定させて、読み取り不良が発生することを防ぐことができる。
【００５０】
なお、この包装箱１には、アルミホイルではない一般的な包装紙で包まれた収納物を収納してもよい。この場合も、当然に通信距離は変化しない。
【００５１】
また、この実施形態では、ブースターアンテナ１０を稜線ｄ６の外側面に設けている。
【００５２】
これにより、収納物２が包装箱１の中で稜線ｄ６の位置に移動したとしても、ブースターアンテナ１０との間には必ず包装箱１の紙材料ｐが存在する。このため、ブースターアンテナ１０と収納物２とが一体化するのを防ぐことができる。
【００５３】
よって、収納物２がアルミホイル２Ａで包まれていても、より確実に、ブースターアンテナのアンテナ特性を安定させることができ、読み取り不良の発生を防ぐことができる。
【００５４】
また、この実施形態では、ブースターアンテナ１０を３つの稜線ｄ６、ｄ１、ｄ２に設けている。  
【００５５】
これにより、包装箱１の箱形状を有効に利用して、ブースターアンテナ１０を複数の方向を向くように設定できる。すなわち、図１に示すように、上下方向の電波Ｒ１のみならず左右方向の電波Ｒ２にも反応することになり、通信範囲を拡大することができる。  
【００５６】
よって、包装箱１の形状を有効に利用して、ブースターアンテナ１０の通信範囲（角度）を拡大することができる。
【００５７】
また、この実施形態では、ＩＣモジュール９を包装箱１の内側に設けている。  
これにより、包装箱１の外部にＩＣモジュール９が露出しないことになる。
【００５８】
よって、外部からの圧力等によって、ＩＣモジュール９が包装箱１から剥がれるのを防ぐことができ、データキャリアとしての機能を維持することができる。また、故意にＩＣモジュール９が剥がされて、ＩＣモジュール９が交換されることによる偽造も防ぐことができる。
【００５９】
次に、第二実施形態について、図５を利用して説明する。図５は第二実施形態のタバコの箱１１（包装箱）の上方斜視図である。
【００６０】
この第二実施形態は、タバコの箱１１（包装箱）に非接触式データキャリアを備えたものである。タバコの箱１１は、比較的小さいため、ブースターアンテナ１０を上部の稜線ｄ１０に設けた場合、電波を受信するアンテナ長を十分に得ることができない。
【００６１】
そこで、この実施形態では、タバコの箱１１で最も長い稜線である側部の稜線ｄ１１に、ブースターアンテナ２０を設けている。
【００６２】
このブースターアンテナ２０は、上下方向に延びる側部の稜線ｄ１１に、稜線ｄ１１の上下全長とほぼ同じ長さでアンテナ２０を設けている。このように長い稜線を使ってブースターアンテナ２０を設けることで、タバコの箱１１のように小さい包装箱であっても、ブースターアンテナ２０の長さを比較的長く確保することができる。
【００６３】
また、このブースターアンテナ２０は、第一実施形態と同様に稜線ｄ１１の外側面に設けている。このため、ブースターアンテナ２０と収納物（図示せず）とが一体化するのを防ぐことができ、第一実施形態と同様、確実に、ブースターアンテナ２０のアンテナ特性の変化を防いで、読み取り不良の発生を防ぐことができる。
【００６４】
なお、ＩＣモジュール９は、このブースターアンテナ２０に隣接するようにタバコの箱１１の側面１２の内側面（裏面）に設けている。このように、タバコの箱１１の内側面にＩＣモジュール９を設けることで、第一実施形態と同様に、ＩＣモジュール９の剥離や破損を防ぐことができ、ＩＣモジュール９の取り換えによる偽造も防ぐことができる。
【００６５】
以上のように、この第二実施形態では、前記ブースターアンテナ２０を、タバコの箱１１の最も長い稜線ｄ１１に設けている。
これにより、ブースターアンテナ２０の長さを、タバコの箱１１の最も長い稜線ｄ１１を利用して、長く設定することができる。
【００６６】
よって、タバコの箱１１を有効に利用して、ブースターアンテナ２０の長さを最大限大きくすることができ、通信距離をより調整しやすくすることができる。
【００６７】
なお、その他の作用効果については、第一実施形態と同様である。
【００６８】
次に、第三実施形態と第四実施形態について、図６を利用して説明する。図６（ａ）が第三実施形態のタバコの箱２１の上方斜視図、（ｂ）が第四実施形態のタバコの箱３１の上方斜視図である。
【００６９】
（ａ）に示す第三実施形態のタバコの箱２１は、第二実施形態のブースターアンテナ（２０）に、さらに下側位置で左右に延びる稜線ｄ２１に沿って延びる下側延部３０ａを設けたものである。その他の部分は、第二実施形態と同様であるため、説明を省略する。
【００７０】
このように、ブースターアンテナ３０に下側延部３０ａを設けたことにより、上下方向の電波Ｒ１を受信しやすくなるため、通信範囲を第二実施形態のものよりも広げることができる。
【００７１】
また、タバコの箱２１の下側位置に下側延部３０ａを設けているため、タバコの箱１１を開封した後においても、ブースターアンテナ３０をそのまま機能させることができ、開封後の個品管理等についても行うことができる。
【００７２】
（ｂ）に示す第四実施形態のタバコの箱３１は、第三実施形態のブースターアンテナ（３０）に、さらに側方下部で前後に延びる稜線ｄ３１に沿って延びる後側延部４０ａを設けたものである。その他の部分は、第三実施形態と同様である。
【００７３】
このように、ブースターアンテナ４０に後側延部４０ａを設けたことにより、左右方向の電波Ｒ２を受信しやすくなるため、さらに、通信範囲を第三実施形態のものよりも広げることができる。
【００７４】
また、後側延部４０ａも、タバコの箱３１の下側位置に設けているため、開封後でも、個品管理等を行うことができる。
【００７５】
特に、この第四実施形態では、ブースターアンテナ１０がタバコの箱３１の対角位置に設けられるため、内部にアルミホイルの包装紙（図示せず）があることで、電波がタバコの箱３１を通過しない場合でも、必ずブースターアンテナ４０で電波を受信することができる。
【００７６】
よって、タバコの箱３１の向き等をいろいろと変化させなくても、ブースターアンテナ４０で、電波を受信させることができ、リーダ・ライタの読み取り作業を容易に行うことができる。
【００７７】
なお、その他の作用効果については、第三実施形態と同様である。
【００７８】
次に、第五実施形態について、図７を利用して説明する。図７は、第五実施形態の図４に対応するＡ−Ａ線矢視断面図である。
【００７９】
この図７に示す第五実施形態では、ブースターアンテナ５０を、稜線ｄ４１の内側面に設けている。すなわち、包装箱４１の内側にブースターアンテナ５０を設けているのである。
【００８０】
このように、ブースターアンテナ５０が包装箱４１の内側に位置することで、ブースターアンテナ５０が外部からの影響を受け難いため、包装箱４１から剥がれ落ちるおそれがなくなる。
【００８１】
これにより、ブースターアンテナ５０を長期間にわたり安定的に包装箱４１に固定しておくことができ、通信性能を維持することができる。また、ブースターアンテナ５０の厚みを厚くすることも可能であるため、ブースターアンテナ５０の性能も高めることができる。
【００８２】
なお、このように、ブースターアンテナ５０が包装箱４１の内側に設けられることで、収納物２と接触する恐れが生じるが、包装箱４１の稜線ｄ４１という頂部（角部）に設けられ、さらに包装箱４１の上側に設けられているため、さほど、接触することもないと考えられる。
【００８３】
したがって、この実施形態によると、ブースターアンテナ５０の機能を最大限発揮させて、通信性能を高めることができる。
【００８４】
以上、本発明は、これらの実施形態に限定されるものではなく、あらゆる非接触式データキャリアを備えた包装箱に適用する実施形態を含むものである。
【符号の説明】
【００８５】
１…包装箱
２…収納物
ｄ１、ｄ２、ｄ６、ｄ１１、ｄ２１、ｄ３１、ｄ４１…稜線
９…ＩＣモジュール
１０…ブースターアンテナ
１１…タバコの箱
２０…ブースターアンテナ
２１…タバコの箱
３０…ブースターアンテナ
３１…タバコの箱
４０…ブースターアンテナ
４１…包装箱
５０…ブースターアンテナ
９１…ＩＣチップ
９２…小形アンテナ
９３…シート基材
【図１】
0005507920.tif 000002
【図２】
0005507920.tif 000003
【図３】
0005507920.tif 000004
【図４】
0005507920.tif 000005
【図５】
0005507920.tif 000006
【図６】
0005507920.tif 000007
【図７】
0005507920.tif 000008